(57)【要約】【課題】  ダイレクトプリントにおいてプリンタの印刷用情報を取得せずに適切なパラメータで印刷情報を生成し出力する。【解決手段】  デジタルカメラ内に過去に取得したプリンタの印刷用情報を記憶する記憶手段と、記憶手段の情報により、印刷ジョブの生成を行う、印刷ジョブ生成手段とを有する。【選択図】  図１
2006203645.tif 000002
【特許請求の範囲】
【請求項１】
画像データ及び画像生成情報が蓄積された記録媒体を有し、前記画像データ及び画像再生情報を画像記録装置に送信し、印刷画像を生成する画像生成システムにおいて、
前記画像データ及び画像再生情報を印刷ジョブに変換する過程において、接続された前記画像記録装置が有する印刷関連情報を印刷ジョブ生成の一情報とする印刷ジョブ生成手段と、
前記印刷関連情報を記憶する印刷関連情報記憶手段と、
前記印刷関連情報記憶手段に記憶された情報を第一の印刷ジョブ生成情報とすることを特徴とする画像生成方法。
【請求項２】
前記印刷関連情報記憶手段に記憶される情報は、複数の画像記録装置の印刷関連情報であることを特徴とする請求項１に記載の画像生成方法。
【請求項３】
前記印刷関連情報記憶手段に記憶される情報は、生成された印刷ジョブの情報と関連付けて記憶されることを特徴とする請求項１に記載の画像生成方法。
【発明の詳細な説明】
【技術分野】
【０００１】
本発明は撮像装置、画像処理装置及び画像処理システムにおける画像生成方法に関するものである。
【背景技術】
【０００２】
近年、撮像装置としてデジタルカメラが普及し、デジタルカメラを手軽に扱うことを可能とするための技術が開発されている。その中の一つにデジタルカメラとプリンタとのダイレクト接続がある。これはデジタルカメラで撮影した画像を、パーソナルコンピュータなどを介すことなく、プリント出力を可能とするもので、パーソナルコンピュータを持たない、またはパーソナルコンピュータを介して手軽に印刷を行えないユーザーのデジタルカメラの使用を促進する。
【０００３】
デジタルカメラとパーソナルコンピュータ、またはダイレクトプリントを行う場合のデジタルカメラとプリンタの接続は、無線と有線の２種類の方法で実施され、デジタルカメラ内の記憶媒体に記録されたビットマップデータまたはＪＰＥＧ、ＪＢＩＧ等のデータ圧縮された画像データを直接、プリンタに出力し、プリンタの画像処理回路においてプリントエンジンが印字動作が可能なデータ形式に変換し、所望の画像データを印刷していた。
【０００４】
又、別の従来例としては、例えば特許文献１と特許文献２をあげることが出来る。
【特許文献１】特開２００２−７４３５０号公報
【特許文献２】特開２００１−２７５０６６号公報
【発明の開示】
【発明が解決しようとする課題】
【０００５】
しかしながら上記従来例では、デジタルカメラで記録された画像データをプリントエンジンが印刷可能な印字データに変換するには上述のようにプリンタ内に専用の画像処理回路が必要であり、また、印字品質を維持するためにはデジタルカメラとプリンタ間でのデータフォーマットが必要であるため、特定のデジタルカメラとプリンタ間でのダイレクトプリントしか所望の印字結果を得られないという問題があった。
【課題を解決するための手段】
【０００６】
本発明は上記問題を解決するためのもので、デジタルカメラ内にプリンタの印刷処理に関するステータス情報を記憶する記憶手段を設け、プリンタに接続した際に取得したステータス情報から、送信する画像データを処理し、プリンタの印刷特性および画像処理特性に最適なデータを送信することにある。
【０００７】
さらに本発明では取得したプリンタのステータス情報を記憶しておく記憶手段を設けることで、接続したプリンタのデバイス情報が一致した場合にプリンタの印刷に関するステータス情報を接続毎に読み込む必要がなくなるため、画像データの送信スタート時間の短縮を図ることが可能となる。
【発明の効果】
【０００８】
本発明ではデジタルカメラ内にプリンタの印刷処理に関するステータス情報を記憶する記憶手段を設け、プリンタに接続した際に取得したステータス情報から、送信する画像データを処理し、プリンタの印刷特性および画像処理特性に最適なデータを送信することが可能になった。
【０００９】
さらに本発明では取得したプリンタのステータス情報を記憶しておく記憶手段を設けることで、接続したプリンタのデバイス情報が一致した場合にプリンタの印刷に関するステータス情報を接続毎に読み込む必要がなくなるため、画像データの送信スタート時間の短縮を図ることが可能となった。
【発明を実施するための最良の形態】
【００１０】
図１はデジタルカメラ等のデジタル撮像装置１０１とプリンタ等の画像出力装置２０１とを、ＩＥＥＥ１３９４シリアルバスやＵＳＢ２．０などのインターフェースにより接続してなる画像入出力システムのブロック図である。以下にこのブロック図を用いて本発明の説明を行う。
【００１１】
図１において、撮像装置１０１は撮像部１１４においてＣＣＤにより撮像信号を得る。撮影されて得られた信号は画像処理部１１２によって色変換処理、フィルタ処理、および本発明によるプリンタ装置の印刷用パラメータを加味した色画像処理が施され、画像データへと変換される。変換された画像データはデータ記憶部１１３において記憶され、印刷指令がなされるとデータ記憶部１１３に格納されているデータはデジタル撮像装置１０１のデータ制御とコマンド制御をつかさどる制御部１１５を介してデータＩ／Ｆ部１１１に送られ、画像出力装置２０１にデータ送信される。
【００１２】
画像出力装置２０１は撮像装置１０１から送られた画像データをデータＩ／Ｆ部２１１にて受信し、データ記憶部２１３に格納し、画像処理部２１２においてプリンタエンジンが所望の印刷が可能なように画像データのビットマップ展開を行い制御部２１３を介してプリンタエンジンに印字データを送出する。
【実施例１】
【００１３】
図２は本発明の処理の流れを示す第一の実施例のフローチャートである。デジタル撮像装置１０１において印刷指令がなされると、データＩ／Ｆ部１１１を介して接続された画像出力装置２０１に固有の識別ＩＤ（デバイスＩＤ）の読み込みを行う（Ｓ１１）。次に読み込んだデバイスＩＤが前回の接続時に取得したデバイスＩＤか否かの判断をＳ１２において行い、前回取得したデバイスＩＤと同一であればＳ１３に進み、データ記憶部１１３において記憶しているプリンタのパラメータを読み出し、画像処理部１１２での画像処理用パラメータとして使用し、印刷データを生成する（Ｓ１４）。そして印刷データが完成するとデータＩ／Ｆ部１１１を介してデータ送信を行い（Ｓ１５）、本手順を終了する。
【００１４】
Ｓ１２において取得したデバイスＩＤが前回取得したデバイスＩＤでない場合、すなわち適合する画像処理用パラメータがデータ記憶部１１３に格納されていない場合、プリンタから印刷用パラメータの読み込みを行い（Ｓ１６）、Ｓ１４に進む。
【実施例２】
【００１５】
図３は本発明の処理の流れを示す第ニの実施例のフローチャートであり、複数のデバイスＩＤの画像処理用パラメータが記憶可能な場合の例である。
【００１６】
デジタル撮像装置１０１において印刷指令がなされると、データＩ／Ｆ部１１１を介して接続された画像出力装置２０１に固有の識別ＩＤ（デバイスＩＤ）の読み込みを行う（Ｓ２１）。次に読み込んだデバイスＩＤが過去に接続時に取得したデバイスＩＤか否かの判断をＳ１２において行い、過去に取得し、そのデバイスＩＤの画像処理用パラメータを記憶している場合はＳ２３に進む。次にＳ２３において印刷したい画像データの種類とデバイスＩＤの整合、例えば過去に出力したカラー画像をどのデバイスＩＤのプリンタで出力したか、過去に出力したモノクロ画像をどのデバイスＩＤのプリンタで出力したかの履歴からどのデバイスＩＤのパラメータを使用するかの判断を行い、整合したパラメータの読み出しを行う（Ｓ２４）。
【００１７】
次に、選択されたプリンタのパラメータを読み出し、画像処理部１１２での画像処理用パラメータとして使用し、印刷データを生成する（Ｓ２５）。そして印刷データが完成するとデータＩ／Ｆ部１１１を介してデータ送信を行い（Ｓ２６）、本手順を終了する。
【００１８】
Ｓ２２において取得したデバイスＩＤが前回取得したデバイスＩＤでない場合、すなわち適合する画像処理用パラメータがデータ記憶部１１３に格納されていない場合、プリンタから印刷用パラメータの読み込みを行い（Ｓ２７）、Ｓ２５に進む。
【図面の簡単な説明】
【００１９】
【図１】本発明の実施形態のシステム全体を示す図である。
【図２】本発明におけるデータ処理方法の第一の実施例を示すフローチャートである。
【図３】本発明におけるデータ処理方法の第二の実施例を示すフローチャートである。
【図１】
2006203645.tif 000003
【図２】
2006203645.tif 000004
【図３】
2006203645.tif 000005